(57)【要約】【課題】位置情報が記録された画像ファイルの検索を容易にする。【解決手段】携帯電話は、公衆無線網で地図サーバと、ローカル無線網でカメラと接続される。まず地図情報を地図サーバから入手する。入手した地図範囲を示す経度、緯度情報をローカル無線接続したカメラに対し送信。カメラで検索後、携帯電話に結果を表示する。【選択図】        図１
2004157723.tif 000002
【特許請求の範囲】
【請求項１】
公衆網接続機能とローカル網接続機能を有する移動体無線通信システムにおいて、地図情報データベースと移動体端末が公衆無線網を介して接続し、画像データと移動体端末が、
ローカル無線網を介して接続し、移動体端末上に表示された地図情報をもとに画像データを検索することを特徴とする画像検索方法。
【請求項２】
前記移動体端末は入手した位置情報を元に地図情報を地図サーバに対して要求し、入手した地図情報と同一範囲を検索条件とし、検索は画像ファイル格納先にて検索を実行することを特徴とする請求項１記載の画像検索方法。
【請求項３】
公衆網接続機能とローカル網接続機能を有する移動体無線通信システムにおいて、地図情報データベースと移動体端末が公衆無線網を介して接続し、画像データと移動体端末が、
ローカル無線網を介して接続し、移動体端末上に表示された住所情報をもとに画像データを検索することを特徴とする画像検索方法。
【請求項４】
画像ファイル検索情報を画像サーバに対して公開し、検索を画像サーバ側にて行うことを特徴とする請求項３記載の画像検索方法。
【発明の詳細な説明】
【０００１】
【発明の属する技術分野】
本発明は無線通信機能を有する撮像記録機器において、静止画ないし動画ファイルに記録した位置情報を利用して、移動先においても簡便なファイル検索、表示が可能な携帯機器に関するものである。
【０００２】
【従来の技術】
デジタルカメラ等にて撮影し記録した静止画、動画等のファイルには、位置情報を記録するフォーマットが規定されている。例えば、ディジタルスチルカメラ用画像ファイルフォーマット規格（Ｅｘｉｆ）において、ＧＰＳに関する付属情報としてタグの書式が規定されている。
【０００３】
位置情報の記録には、カメラにＧＰＳ受信部を内蔵させる、もしくはユーザが緯度経度等の数値をキー入力により行う。前者の場合、ＧＰＳ受信部を内蔵するため、カメラのコストアップ要因となり、さらには位置情報取得が屋外に限定されるため、使用できる環境が限定される。後者の場合は、ユーザが地図等を利用して位置情報を算出し、入力するため、煩雑さが伴なう。この煩雑さを解消するために、カメラ本体に地図情報を内蔵し、地図上の位置を指定することでユーザが直接位置情報を算出しないで済むが、地図情報を格納するためのメモリ容量には制約があり、また、コストアップ要因となる。
【０００４】
位置情報を利用した画像情報検索方法については、カメラに内蔵された地図を用いて行う方法が提案されている（Ｐ２００１−１８９９０５Ａ）。この公報では、地図上に、取得した位置情報に対応するアイコンを表示し、これを選択することで、その撮影地点で撮影された画像を表示装置に表示できることを示している。
【０００５】
【発明が解決しようとする課題】
しかしながら、上記従来例において、ＧＰＳ受信機および、地図情報をカメラ本体に内蔵する場合、携帯機器はメモリ容量に制約があり、限定した縮尺、限定した地域のみしか格納できず、地図情報を利用したアプリケーションは限定された地域、縮尺のみでしか使用できない。例えば縮尺が１通りのみ格納し、同一地域で多数の画像ファイルが作成された場合に、地図を拡大して検索地域を絞り込むことが出来なくなる。あるいは、行き先が変わるごとに予めその地域の地図情報を撮影装置上のメモリに記録し直すなど、どこでもつかえるという携帯機器としての特徴に制約を受けるという問題があった。
【０００６】
また、ＧＰＳ受信機、地図情報を携帯電話などネットワーク側から入手する場合は、カメラ側主導で操作するため、カメラに地図ビューアなどのソフトウェアをインストールする必要がある。またテンキー、スクロールキーなども操作性を向上させるためには用意する必要があるなど、カメラのコスト、サイズの増大を招く。
【０００７】
よって、本発明の目的は、携帯型撮像装置において、位置情報の記録及び、位置情報を利用した検索を行える領域を広げ、ユーザに使用地域の制約を受けない検索方法を提供することである。
【０００８】
【課題を解決するための手段】
上記目的を達成するため、本出願に係る第一の発明は、移動体通信装置にて、ネットワーク上の地図サーバの地図データを利用して、表示された地図領域をもとにローカル接続の画像ファイルを検索することを特徴とする。
【０００９】
上記構成において、地図表示手段は画像ファイル検索条件として動作する。
【００１０】
また、本出願に係る第二の発明は、移動体通信装置にて、ネットワーク上の地図サーバの地図データを利用して、表示された住所領域をもとにローカル接続の画像ファイルを検索することを特徴とする。
【００１１】
上記構成において、住所表示手段は画像ファイル検索条件として動作する。
【００１２】
【発明の実施の形態】
（第一の実施例）
以下、本発明に係わる第一の実施例について説明する。本実施形態は、携帯電話に内蔵された表示装置と入力装置を利用して、カメラ内の画像ファイルに対し地図情報を利用した画像ファイルの検索を行う例を示す。
【００１３】
図１は本発明のネットワーク全体構成を示す図である。地図サーバ１０１はＩＰ（Ｉｎｔｅｒｎｅｔ  Ｐｒｏｔｏｃｏｌ）網に接続されている。本サーバは位置情報、縮尺情報を含む地図情報として携帯電話１０４に送信する。基地局１０２は、ＩＰ網から公衆無線網へ中継伝送する。
【００１４】
また、携帯電話１０４が屋内等、ＧＰＳ信号を受信できない場合に基地局の位置情報を携帯電話に対して報知する機能を含む。ＧＰＳ衛星１０３は、衛星識別番号、時刻等を地上に向けて報知する。携帯電話１０４は、基地局との送受信を行う公衆無線網送受信部、複数のＧＰＳ衛星からの信号を捕捉するＧＰＳ受信部、カメラ１０５との無線接続を行うローカル無線送受信部機能が含まれ、通話機能に関しては含まれなくともよい。カメラ１０５は、静止画あるいは動画を撮影し、デジタル情報として本体内の記録部に保存する。
【００１５】
図２は携帯電話１０４の内部構成を示す図である。ＧＰＳ受信部２０１はＧＰＳ衛星からの電波を捕捉する受信機である。少なくとも３つ以上の衛星からの電波を捕捉すると位置情報を算出できる。公衆網送受信部２０２は、基地局とのデータ信号の送受を行う。本実施例で送信するデータは地図サーバに対しての地図情報の要求信号、あるいはＧＰＳ受信部にて必要な信号が捕捉できない場合に、基地局に対して位置情報の要求を行う。
【００１６】
受信信号としては、地図情報、あるいは位置情報等である。ローカル網送受信部２０３は、カメラとのローカル無線接続を行うための送受信機であり、位置情報の送信、画像ファイル検索条件の送信、画像ファイル検索結果の受信等を行う。位置情報算出部２０４は、ＧＰＳ受信部にて受信した３つ以上の衛星からの信号より経度緯度情報を算出する。屋内等で３つ以上の衛星信号を捕捉できない場合は、公衆網送受信部２０２を経由して基地局１０２から位置情報を入手する。入手ないし算出した位置情報をカメラ１０５内の画像ファイルに対して記録する場合は、ローカル網送受信部２０３を経由してカメラ１０５に送信される。位置情報を地図表示位置として使用する場合は、地図情報算出部２０５にて表示する地図の中心位置を決める値として使用する。
【００１７】
地図情報算出部２０５は、位置情報算出部２０４から受信した位置情報と、キー操作部により選択された縮尺を公衆網送受信部２０２を介して地図サーバ１０１に送信する。キー操作部２０６は、テンキー、十字キーなどから構成されている。これらは通信制御のほかに、文字入力、地図の拡大縮小、上下左右への移動などをさせるときに操作する。表示部２０７は、例えば横１２０画素、縦１６０画素からなる液晶表示装置である。
【００１８】
図３はカメラ１０５の内部構成を示す図である。撮像部３０１はレンズ、ＣＣＤ、画像処理部より構成される。撮影した静止画ないし動画は、ＪＰＥＧによって画像データを圧縮し、記録部３０２にて記録される。記録部３０２は、画像ファイルをＥｘｉｆフォーマットの書式に従って撮影条件、撮影日時などのヘッダ情報および、位置情報受信部３０４から入手可能な場合は位置情報まで含めて付加し、ＣＦ（Ｃｏｍｐａｃｔ  Ｆｌａｓｈ）カードなどのリムーバブルメディアに内蔵されたフラッシュメモリにファイル形式で記録する。
【００１９】
検索部３０３は、画像ファイルに記録された位置情報から条件を指定し、条件に合致する画像ファイルの検索を行う。位置情報受信部３０４は、ローカル網送受信部を経由し、携帯電話１０４から位置情報の取得を行う。ローカル網送受信部３０５は、携帯電話１０４との間でローカル無線接続を行う。送受信するデータは無線回線を維持するための制御データのほかに、画像ファイル、位置情報などである。
【００２０】
図４は携帯電話に地図情報および画像検索結果を表示させたときのイメージ図である。電話機本体４０１の表示部４０２には、地図サーバより入手した地図が表示され、表示部２０７に相当する。ここで地図表示された範囲がそのまま画像ファイルの検索範囲となり、三角印で示された位置および個数が画像ファイルの検索結果である。十字キー４０３はモード切替により地図スクロ−ルおよび縮尺変更を行う。テンキー４０４では英数字、かな、漢字などの文字入力を行う。この図では電源および発信ボタンを記載した。
【００２１】
以下に、屋内から携帯電話を使用して、現在地付近で撮影されたカメラ内画像ファイルの検索手順を図５を利用しながら説明する。まず携帯電話は、現在地が屋内であることから、ＧＰＳ受信部２０１にてＧＰＳ衛星を補足できない。よって、基地局に対して基地局の位置情報を要求する（Ｓ５１）。これは位置情報算出部２０４から公衆網送受信部２０２を経由して行う。次に携帯電話１０４は基地局からの位置情報応答信号を受信する（Ｓ５２）。基地局からの複数の基地局に対して通信できる場合は、各基地局の位置情報と、伝播遅延時間から、自端末である携帯電話１０４の位置を位置情報算出部２０４にて算出する。１つの基地局とのみ通信できた場合は、その基地局の位置を現在地として設定する。
【００２２】
位置情報が確定すると、この値を受けた地図情報算出部２０５では、地図サーバ１０１に対して現在地を中心とし、例えば初期値を縮尺１万分の一とした地図情報を要求する。このとき、表示部２０７の可能サイズから算出した地図範囲を併せて送信する（Ｓ５３）。地図情報要求信号は、公衆網送受信部２０２から公衆無線区間を経て基地局１０２を経由し、ＩＰ網を経由し、地図サーバ１０１に達する。地図サーバ１０１では、地図情報算出部２０５にて要求された位置、縮尺、範囲の条件に沿ったデータを携帯電話１０４に対して送信する（Ｓ５４）。
【００２３】
地図情報応答信号は、基地局１０２を経由して電話機１０４にて受信する。電話機１０４の公衆網送受信部２０２にて受信した地図情報応答信号は、地図情報算出部にて受信後、表示部２０７にて地図が表示される。ユーザが表示された地図範囲を確認後、この表示範囲を画像ファイルの検索範囲として設定し、カメラ１０５に送信する（Ｓ５０４）。
【００２４】
検索条件は、４０２に表示された地図画像左上隅の経度緯度値と、右下隅の経度緯度値となる。検索条件設定信号は、ローカル網送受信部２０３を介し、ローカル無線を経由してカメラ１０５に渡される。カメラ内部のローカル網送受信部３０５にて受信した検索条件設定信号は、検索部３０３に送られ、記録部３０２に記録された画像ファイル内の位置情報タグを逐次検索し、一致する画像ファイルのリストを作成する。ファイルリストには、ファイル名の他に、緯度経度からなる位置情報を含む。
【００２５】
検索が修了し、該当ファイルリストが作成されると、これを検索結果としてローカル網送受信部３０５を介して携帯電話１０４に送信される（Ｓ５６）。携帯電話１０４では、ローカル網送受信部２０３にて受信した検索結果応答を地図情報算出部２０５に転送する。地図情報算出部２０５では、受信した検索結果ファイル数と、その位置（三角印）を表示部に表示する。
【００２６】
以上が検索の基本的な流れである。地図情報応答（Ｓ５４）後、検索範囲として相応しくないとユーザが判断した場合は、十字キー４０３を使用して、スクロールもしくは拡大縮小操作を行い、再度、地図情報要求（Ｓ５３）を行う。また、検索結果応答（Ｓ５６）を受けて、受信した画像ファイル数が多い場合は、同様に十字キー４０３を使用して、スクロールもしくは拡大縮小操作を行い、再度、地図情報要求（Ｓ５３）する。
【００２７】
受信した画像ファイル数が少ない、あるいは無い場合に関しても同様に、十字キー４０３を使用して、スクロールもしくは拡大縮小操作を行い、再度、地図情報要求（Ｓ５３）する。
【００２８】
検索結果である画像ファイルの中から選択した画像ファイルを、閲覧もしくはメール添付などする場合は、元画像ファイル本体をカメラから携帯電話に転送することになる。
【００２９】
以上説明したように、本実施例によれば、携帯電話のユーザ・インタフェースである表示部、キー入力を利用して、ネットワーク上から位置情報、地図情報を入手し、容易にカメラに記録した画像ファイルを位置情報に基づいて検索できる。本方法は、ローカル無線接続したカメラ内の画像に限らず、電話機内のメモリカードに格納された画像ファイルにも適用できる。さらには、ＩＰ網上にある画像サーバに保存された位置情報つきの画像ファイルにも適用することも可能である。
【００３０】
（第二の実施例）
以下、本発明に係わる第二の実施例について説明する。本実施形態は、携帯電話に内蔵された表示装置と入力装置を利用して、カメラ内の画像ファイルに対し住所内の画像ファイル検索を行う例を示す。
【００３１】
基本的な構成は第一の実施例と同様であるが、検索の実行は地図サーバ１０１上で行う。住所検索の画像イメージを図６に示す。図左列が住所における大項目で、ここでは国を示す。中ほどの列が中項目であり、ここでは県を示す。右列は小分類であり、ここでは市区を示す。選択順序は、左の大項目から選択する。項目を選択するとグレー表示となり、一列右の項目が表示され、選択可能となる。中列を選択すると、右項目が選択できるようになる。市区項目を選択すると、その選択した市区内のさらに細かい町項目が表示され、大項目は表示部から消去される。このように、項目は地図サーバと通信を行うことで、さらに絞込みができる。グレーの部分は各項目を選択したことを示す。
【００３２】
次に、検索時の動作について図７を用いて説明する。先ず、住所検索は第一の実施例と異なり、２地点の経度、緯度から求めることはできず、複雑な計算を必要とする。そこで、本実施例では、住所検索は地図サーバで行う。先ず、住所検索をするにあたって、カメラ内の位置情報のみを取り出したファイルの設定を行う（Ｓ７１）。これは、カメラ内の画像ファイルと位置情報の関連づけを行ったものである。このファイルを地図サーバに転送する（Ｓ７２）。
【００３３】
次に、携帯電話１０４は、地図サーバ１０１に対し、表示部２０７に表示させる住所情報（大項目）を要求する（Ｓ７３）。地図サーバからは応答結果として、日本、韓国、中国、などの国名を返答する（Ｓ７４）。この国名を表示部４０２に表示する。ユーザは十字キー４０３にて日本を選択する。選択した住所はグレーとなる。選択後、
携帯電話１０４は、地図サーバ１０１に対し、大分類で選択した日本に該当するファイル数と、表示部２０７に表示させる住所情報（中項目）を要求する（Ｓ７５）。地図サーバからは応答結果として、大項目：日本での検索結果１２８件と、中項目の住所項目である県名リストを応答する（Ｓ７６）。表示部４０２には大項目で選択した日本でのヒット件数１２８と表示し、かつ中項目である県名リストが表示される。ユーザは地図サーバ１０１に対し、この中項目リスト中から東京を選択し、この住所はグレーとなる。
【００３４】
選択後、携帯電話１０４は、地図サーバ１０１に対し、中分類で選択した東京に該当するファイル数７件と、表示部２０７に表示させる住所情報（小項目）を要求する（Ｓ７７）。地図サーバからは応答結果として、中項目：東京での検索結果４３件と、小項目の住所項目である県名リストを応答する（Ｓ７８）。ある程度絞り込まれた段階で、携帯電話からカメラに対し、リストアップされた７件についてファイルのサムネイル画像の指定を行う（Ｓ７９）。カメラは選択された７件のサムネイル画像を応答として返答する（Ｓ７９）。結果を図８に示すように表示部４０２にリスト表示する。
【００３５】
以上説明したように、本実施例によれば、携帯電話のユーザインタフェースである表示部、キー入力を利用する。そしてローカルに無線接続したカメラの位置情報のみ取り出したファイル情報を、ネットワーク上の地図サーバに転送する。このことで、カメラに記録した緯度経度情報から住所による画像ファイルの検索、絞込みが可能となる。本方法も同様に、ローカル無線接続したカメラ内の画像に限らず、電話機内のメモリカードに格納された画像ファイルにも適用できる。さらには、ＩＰ網上にある画像サーバに保存された位置情報つきの画像ファイルにも適用することも可能である。
【００３６】
【発明の効果】
以上説明したように、本出願に係る第一の発明によれば、カメラ側にユーザインタフェースをあらたに追加することなく、地図を使用した位置情報による画像ファイルの検索が容易に実現できる。また、本出願に係る第二の発明によれば、カメラ側にユーザインタフェースをあらたに追加することなく、住所を使用した位置情報による画像ファイルの検索が容易に実現できるという効果がある。
【図面の簡単な説明】
【図１】本発明のネットワーク構成を示す。
【図２】本発明による携帯電話の内部構成を示す。
【図３】本発明によるカメラの内部構成を示す。
【図４】本発明の第一の実施例における携帯電話の表示状態の一例を示す。
【図５】本発明の第一の実施例における通信動作手順を示す。
【図６】本発明の第二の実施例における携帯電話の検索時表示の一例を示す。
【図７】本発明の第二の実施例における通信動作手順を示す。
【図８】本発明の第二の実施例における携帯電話の検索結果表示の一例を示す。
【符号の説明】
１０１  地図サーバ
１０２  基地局
１０３  ＧＰＳ衛星
１０４  携帯電話
１０５  カメラ
【図１】
2004157723.tif 000003
【図２】
2004157723.tif 000004
【図３】
2004157723.tif 000005
【図４】
2004157723.tif 000006
【図５】
2004157723.tif 000007
【図６】
2004157723.tif 000008
【図７】
2004157723.tif 000009
【図８】
2004157723.tif 000010